(57)【要約】【課題】十分な切断精度を得ることができる農作業機を提供する。【解決手段】農作業機１は、マルチフィルムを圃場面から剥離回収する剥離回収手段６を備える。農作業機１は、剥離回収手段６によるマルチフィルムの剥離によりマルチ孔に挿通したまま起立する茎葉部Ａ２を切断する切断手段７を備える。農作業機１は、マルチフィルムの下面に風を吹き当てて剥離回収手段６によるマルチフィルムの剥離を補助する剥離補助手段８を備える。【選択図】　　　　図１
2004141121.tif 000002
【特許請求の範囲】
【請求項１】
マルチ孔が形成されたマルチフィルムを圃場面から剥離する剥離手段と、
この剥離手段によるマルチフィルムの剥離によりマルチ孔に挿通されたまま起立する茎葉部を切断する切断手段と、
マルチフィルムの下面に風を吹き当てて前記剥離手段によるマルチフィルムの剥離を補助する剥離補助手段と
を備えたことを特徴とする農作業機。
【請求項２】
剥離手段は、マルチフィルムを巻き取って回収する巻取ローラと、マルチフィルムを下方から支持して前記巻取ローラまで案内する前下り傾斜状の中空ガイド体とを有し、
剥離補助手段は、送風体を有し、この送風体からの風を前記中空ガイド体内を通してこの中空ガイド体の前端側の孔部から放出する構成となっている
ことを特徴とする請求項１記載の農作業機。
【請求項３】
切断手段による切断後の農作物を掘り取って搬送する掘取搬送手段と、
この掘取搬送手段からの農作物を収容するコンテナが載置されるコンテナ台とを備えたことを特徴とする請求項１または２記載の農作業機。
【発明の詳細な説明】
【０００１】
【発明の属する技術分野】
本発明は、十分な切断精度を得ることが可能な農作業機に関する。
【０００２】
【従来の技術】
従来、この種の農作業機として、例えばマルチ孔が形成されたマルチフィルムを圃場面から剥離する剥離手段と、この剥離手段によるマルチフィルムの剥離によりマルチ孔に挿通されたまま起立する茎葉部を切断する切断手段と、この切断手段による切断後の農作物を掘り取って搬送する掘取搬送手段と、この掘取搬送手段からの農作物を収容するコンテナが載置されるコンテナ台とを備えたものが知られている（例えば特許文献１参照。）。
【０００３】
【特許文献１】
特開２０００−２７９０１１号公報（第２頁、図３）
【０００４】
【発明が解決しようとする課題】
しかしながら、上記従来の農作業機では、例えば剥離手段にてマルチフィルムの剥離が適切に行われないおそれがあるため、十分な切断精度が得られないおそれがある。
【０００５】
本発明は、このような点に鑑みなされたもので、マルチフィルムを適切に剥離でき、十分な切断精度を得ることができる農作業機を提供することを目的とする。
【０００６】
【課題を解決するための手段】
請求項１記載の農作業機は、マルチ孔が形成されたマルチフィルムを圃場面から剥離する剥離手段と、この剥離手段によるマルチフィルムの剥離によりマルチ孔に挿通されたまま起立する茎葉部を切断する切断手段と、マルチフィルムの下面に風を吹き当てて前記剥離手段によるマルチフィルムの剥離を補助する剥離補助手段とを備えたものである。
【０００７】
そして、剥離補助手段にてマルチフィルムの下面に風が吹き当てられて剥離手段によるマルチフィルムの剥離が補助されるため、マルチフィルムが適切に剥離され、十分な切断精度が得られる。
【０００８】
請求項２記載の農作業機は、請求項１記載の農作業機において、剥離手段は、マルチフィルムを巻き取って回収する巻取ローラと、マルチフィルムを下方から支持して前記巻取ローラまで案内する前下り傾斜状の中空ガイド体とを有し、剥離補助手段は、送風体を有し、この送風体からの風を前記中空ガイド体内を通してこの中空ガイド体の前端側の孔部から放出する構成となっているものである。
【０００９】
そして、剥離補助手段が送風体からの風を中空ガイド体内を通してこの中空ガイド体の前端側の孔部から放出する構成であるから、送風体からの風をマルチフィルムの下面に適切に吹き当てることが可能となる。
【００１０】
請求項３記載の農作業機は、請求項１または２記載の農作業機において、切断手段による切断後の農作物を掘り取って搬送する掘取搬送手段と、この掘取搬送手段からの農作物を収容するコンテナが載置されるコンテナ台とを備えたものである。
【００１１】
そして、掘取搬送手段からの農作物をコンテナ台上のコンテナに適切に収容することが可能となり、農作物の収穫作業性が向上する。
【００１２】
【発明の実施の形態】
以下、本発明の農作業機の一実施の形態の構成を図面を参照して説明する。
【００１３】
図１および図２において、１は農作業機で、この農作業機１は、例えば走行車（トラクタ等）２の後部に作業機昇降支持装置（３点リンク機構等）３を介して昇降可能に装着されて使用される牽引式のものである。
【００１４】
また、この農作業機１は、走行車２に装着された状態で、この走行車２の走行により前方（進行方向Ｘ）に移動しながら、圃場面（畝表面等）を被覆したマルチフィルムＦを剥離するとともに圃場（畝等）に栽培した農作物Ａに対して所定の作業（収穫作業等）をするものである。なお、農作物Ａは、食用部となる略球状の本体部Ａ１と、この本体部Ａ１から延びた茎葉部Ａ２とを有する玉葱等である。
【００１５】
ここで、農作業機１は、走行車２の後部に作業機昇降支持装置３を介して昇降可能に装着される機体５を備えている。
【００１６】
そして、この機体５には、マルチ孔Ｆ１が複数形成されたマルチフィルムＦを圃場面から剥離して巻取回収する剥離手段である剥離回収手段６と、この剥離回収手段６によるマルチフィルムＦの剥離によりマルチ孔Ｆ１に挿通されたまま起立する茎葉部Ａ２をマルチフィルムＦより下方の位置で切断する切断手段７と、この切断手段７より前方の位置でマルチフィルムＦの下面に風を吹き当てて剥離回収手段６によるマルチフィルムＦの剥離（圃場面からの離反）を補助する剥離補助手段８とが設けられている。
【００１７】
また、この機体５には、切断手段７による切断後の農作物Ａ、すなわち例えば略球状の本体部Ａ１を掘り取って搬送する掘取搬送手段９と、この掘取搬送手段からの本体部Ａ１を収容するコンテナＣが載置されるコンテナ台１０とが設けられている。
【００１８】
ここで、剥離回収手段６は、マルチフィルムＦを巻き取って回収する左右方向の巻取ローラ１１と、マルチフィルムＦを下方から支持して巻取ローラ１１まで案内する前下り傾斜状の中空ガイド体１２と、マルチフィルムＦを中空ガイド体１２に押し付ける左右方向の押えローラ１３とを有している。
【００１９】
これら巻取ローラ１１、中空ガイド体１２および押えローラ１３は左右いずれか一側方（例えば右側方）に向って傾斜した傾斜状に配置され、切断分離された茎葉部Ａ２がマルチフィルムＦの傾斜した上面上を略一側方に向って自重により滑ってマルチフィルムＦの一側縁から自重落下するようになっている（図４参照）。
【００２０】
また、巻取ローラ１１は、走行車２側からの動力を伝動手段１５を介して受けて所定方向に駆動回転する構成で、押えローラ１３は、マルチフィルムＦからの力で従動回転する構成となっている。
【００２１】
さらに、中空ガイド体１２は、例えば左右方向に並んだ細長状の複数本の中空部材（導管等）１６にて構成されている。各中空部材１６の前端部には、上方に向って開口した孔部１７が開口形成されている。
【００２２】
剥離補助手段８は、ファン等の送風体２１を有し、この送風体２１からの風を中空ガイド体（複数の中空部材１６）１２内を通してこの中空ガイド体（複数の中空部材１６）１２の前端側の孔部１７からマルチフィルムＦの下面に向けて放出する構成となっている。
【００２３】
この送風体２１は、例えば巻取ローラ１１の後方近傍位置にこの巻取ローラ１１と略平行に配置された略円筒状の本体２３を有し、この本体２３内には回転羽根２４が駆動回転可能に配設されている。
【００２４】
そして、この送風体２１の本体２３の下部に形成された接続部２５には、中空ガイド体１２を構成する各中空部材１６の後端部が接続され、各中空部材１６の内部空間が本体２３の内部空間に連通されている。
【００２５】
切断手段７は、マルチフィルムＦの剥離に応じてこのマルチフィルムＦにて上方に引っ張られるようにして起立する茎葉部Ａ２を切断分離するもので、中空ガイド体１２の前端側の後方位置に配置された固定刃３１と、この固定刃３１の上面に沿って移動する可動刃３２とを有している。
【００２６】
この可動刃３２は、例えば左右のスプロケット３３に巻き掛けられたチェーン３４に間隔をおいて固着されている。このチェーン３４は、走行車２側からの動力を伝動手段３５を介して受けて所定方向に駆動回行するもので、このチェーン３４の回行により可動刃３２が移動するようになっている。
【００２７】
掘取搬送手段９は、固定刃３１の後方位置に配置され土中を移動する略板状の先金等の掘起体４１と、この掘起体４１にて掘り起された切断後の農作物Ａ、すなわち例えば略球状の本体部Ａ１を機体５の前端下部から機体５の後端上部まで搬送する搬送コンベヤ４２とを有している。
【００２８】
この搬送コンベヤ４２は、例えばロッドコンベヤ等で、走行車２側からの動力を伝動手段４３を介して受けて駆動する構成となっている。そして、この搬送コンベヤ４２から搬出される本体部Ａ１は、コンテナ台１０上のコンテナＣ内に収容されるようになっている。
【００２９】
なお、コンテナ台１０は、機体５に対して脱着可能となっている。また、機体５の後端下部には、左右一対の接地輪４５が高さ位置調節可能に設けられている。
【００３０】
次に、上記一実施の形態の動作を説明する。
【００３１】
マルチフィルムＦが被覆された圃場に育った玉葱等の農作物Ａを圃場から収穫する場合、農作業機１を走行車２に装着してこの走行車２の走行により前方に移動させる。
【００３２】
農作業機１が走行車２とともに前方に移動すると、図３に示すように、剥離回収手段６にてマルチフィルムＦが圃場面から剥離されて回収され、この剥離回収手段６によるマルチフィルムＦの剥離によりマルチ孔Ｆ１に挿通されたまま倒伏状態から起立状態となった茎葉部Ａ２が切断手段７の固定刃３１および可動刃３２にてマルチフィルムＦより下方の位置で切断分離される。
【００３３】
この農作物Ａの本体部Ａ１から切断分離された茎葉部Ａ２は、剥離回収手段６にてねじられる形で傾斜したマルチフィルムＦの上面上を略一側方に向って自重により滑って、マルチフィルムＦの一側縁から圃場面上に自重落下する（図４参照）。
【００３４】
そして、この剥離回収手段６によるマルチフィルムＦの剥離の際には、剥離補助手段８によって、切断手段７より前方の位置でマルチフィルムＦの下面に風が吹き当てられ、マルチフィルムＦの剥離が補助され、マルチフィルムＦが上方に持ち上げられる。
【００３５】
すなわち、剥離補助手段８の送風体２１が作動して送風体２１の本体２３内で風が生じ、この生じた風が、中空ガイド体１２内を通過し、この中空ガイド体１２の前端側の孔部１７からマルチフィルムＦの下面に向って放出され、この結果、マルチフィルムＦが圃場面から浮上し、このマルチフィルムＦの浮上とともに倒伏状態の茎葉部Ａ２が起立状態となる。このため、茎葉部Ａ２が切断手段７にて精度よく切断されることとなる。
【００３６】
一方、農作物Ａの本体部Ａ１は、掘取搬送手段９にて掘取搬送され、コンテナＣ内に順次収容される。
【００３７】
そして、上記一実施の形態の農作業機１によれば、剥離補助手段８にてマルチフィルムＦの下面に風が吹き当てられて剥離回収手段６によるマルチフィルムＦの剥離が補助されるため、剥離回収手段６にてマルチフィルムＦを適切に剥離回収でき、よって、農作物Ａの倒伏状態の茎葉部Ａ２を適切に起立状態にでき、切断手段７による茎葉部Ａ２の切断に関して十分な切断精度を得ることができる。
【００３８】
また、その剥離補助手段８が送風体２１からの風を中空ガイド体１２内を通してこの中空ガイド体１２の前端側の孔部１７から放出する構成であるから、送風体２１からの風をマルチフィルムＦの下面に適切に吹き当てることができ、マルチフィルムＦの剥離を確実に行うことができる。
【００３９】
なお、マルチフィルムＦを圃場面から剥離する剥離回収手段６等の剥離手段は、マルチフィルムＦを一側方に向けて下方向に傾斜させながら剥離するものには限定されず、例えば、図示しないが、マルチフィルムＦを傾けることなく略水平のまま剥離するもの等でもよい。
【００４０】
また、剥離手段は、マルチフィルムＦを圃場面から剥離して巻取回収するものには限定されず、例えば、図示しないが、カッタ等の細断手段で剥離後のマルチフィルムＦを細断するようなもの等でもよい。
【００４１】
【発明の効果】
請求項１の発明によれば、剥離補助手段にてマルチフィルムの下面に風が吹き当てられて剥離手段によるマルチフィルムの剥離が補助されるため、マルチフィルムを適切に剥離でき、十分な切断精度を得ることができる。
【００４２】
請求項２の発明によれば、剥離補助手段が送風体からの風を中空ガイド体内を通してこの中空ガイド体の前端側の孔部から放出する構成であるから、送風体からの風をマルチフィルムの下面に適切に吹き当てることができる。
【００４３】
請求項３の発明によれば、掘取搬送手段からの農作物をコンテナ台上のコンテナに適切に収容でき、農作物の収穫作業性を向上できる。
【図面の簡単な説明】
【図１】本発明の農作業機の一実施の形態を示す斜視図である。
【図２】同上農作業機を示す側面図である。
【図３】同上農作業機の作業状態を示す概略説明図である。
【図４】同上農作業機の作業状態を示す概略説明図である。
【符号の説明】
１　　農作業機
６　　剥離手段である剥離回収手段
７　　切断手段
８　　剥離補助手段
９　　掘取搬送手段
１０　　コンテナ台
１１　　巻取ローラ
１２　　中空ガイド体
１７　　孔部
２１　　送風体
Ｆ　　マルチフィルム
Ｆ１　　マルチ孔
Ａ　　農作物
Ａ２　　茎葉部
Ｃ　　コンテナ
【図１】
2004141121.tif 000003
【図２】
2004141121.tif 000004
【図３】
2004141121.tif 000005
【図４】
2004141121.tif 000006